(57)【特許請求の範囲】
【請求項１】
液透過性の表面シート、液不透過性の裏面層及び該表面シート及び該裏面層の間に配置される吸収体を備えると共に、互いに対向する第１端部及び第２端部と、該第１端部及び第２端部に直交し互いに対向する一対の側部と、を有して矩形形状に構成され、前記第１端部の近傍の前記裏面層側が第１外面を構成するように折り畳まれた状態で複数枚が積層されて包装され、ペットの胴回りに巻き付けて使用されるペット用吸収性物品であって、
前記第１端部の近傍の前記裏面層側に配置されるフック部材と、
前記第２端部の近傍の前記表面シート側に設けられ前記フック部材に係合可能な被係合部と、
積層された状態において隣り合って配置されるペット用吸収性物品の前記フック部材に当接する位置に設けられ、該フック部材の前記被係合部に対する係合力よりも弱い係合力で、前記フック部材が、前記隣り合って配置されるペット用吸収性物品の前記フック部材が設けられていない前記第２端部の近傍の裏面層側に係合すると共に弱接合される弱係合部と、を更に備え、
前記フック部材は、着用時には前記表面シート側の前記被係合部に係合し、積層された状態では前記隣り合って配置されるペット用吸収性物品の前記弱係合部に係合して弱接合されるペット用吸収性物品。
【請求項２】
前記ペット用吸収性物品は、長手方向に２つ折りに折り畳まれて前記第２端部の近傍の前記裏面層側が第２外面を構成し、
複数の前記ペット用吸収性物品は、該複数のペット用吸収性物品のうちの一のペット用吸収性物品の前記第１外面が該一のペット用吸収性物品に隣り合って配置されるペット用吸収性物品の前記第２外面に当接するように積層され、
前記弱係合部は、前記第２外面に設けられる請求項１に記載のペット用吸収性物品。
【請求項３】
前記裏面層は、前記フック部材に係合可能な不織布を含んで構成され、
前記弱係合部は、前記裏面層により形成される請求項１又は２に記載のペット用吸収性物品。
【請求項４】
前記表面シートは、前記フック部材に係合可能な不織布を含んで構成され、
前記被係合部は、前記表面シートにより構成される請求項１〜３のいずれかに記載のペット用吸収性物品。
【発明の詳細な説明】
【技術分野】
【０００１】
本発明は、ペット用吸収性物品に関する。
【背景技術】
【０００２】
従来、犬やネコ等のペットに用いられるペット用使い捨ておむつが提案されている。このようなペット用使い捨ておむつは、装着状態において、ペットの肛門部及び後足の付け根間に位置する尿道口を覆うことで、ペットの糞及び尿を捕捉している。
【０００３】
ところで、ペットの種類（例えば、胴長短足犬であるミニチュアダックスフンド）によっては、尿道口の位置が後足の付け根間よりも前方に位置する場合がある。また、雄犬は、雌犬に比して、尿道口が前方に位置する。このように、尿道口が後足の付け根間よりも前方に位置するペットに、ペット用使い捨ておむつを装着した場合には、おむつから尿道口が露出してしまい、尿がもれてしまう場合があった。
そこで、矩形形状に構成され、ペットの胴回り部に巻きつけて装着されるペット用吸収性物品が提案されている（例えば、特許文献１参照）。
このような、矩形形状に構成されたペット用吸収性物品によれば、尿道口の位置にかかわらず、確実に尿道口を覆って装着させられる。
【先行技術文献】
【特許文献】
【０００４】
【特許文献１】特開２００７−２０５３３号公報
【発明の概要】
【発明が解決しようとする課題】
【０００５】
特許文献１で提案されたような、胴回りに巻きつけて用いられるペット用吸収性物品は、例えば、以下の手順でペットに装着される。
まず、ペット用吸収性物品の長手方向の一端部をペットの背中に位置させて、この一端部近傍を装着者の片方の手で押さえる。次いで、一端部を一方の手で押さえたまま、ペット用吸収性物品の他端部を他方の手で持って、ペット用吸収性物品をペットの腹側を覆うように巻きつける。次いで、ペット用吸収性物品の他端部を引っ張って、ペット用吸収性物品の長手方向に沿う側部と、ペットの胴回りとを密着させ、この状態で、ペット用吸収性物品の他端部の内面を一端部の外面に係合させる。これにより、ペット用吸収性物品がペットの胴回りに好適に巻きつけられた状態が保持される。
【０００６】
以上のような、矩形形状のペット用吸収性物品は、製造工程において、長手方向に２つ折りや三つ折りに折り畳まれた状態で、複数枚が積層されて包装袋に収容される。そして、ペット用吸収性物品は、複数枚が包装袋に収容された包装体の状態で流通する。
しかしながら、従来のペット用吸収性物品では、複数のペット用吸収性物品を包装体に収容する工程において、折り畳まれた状態で積層された複数のペット用吸収性物品が包装袋に収容されるまでの間に、互いにずれてしまい、安定的に包装袋に包装できない場合があった。
【０００７】
従って、本発明は、複数枚を積層して包装袋に収容する場合に、互いにずれにくく、安定的に包装できるペット用吸収性物品を提供することを目的とする。
【課題を解決するための手段】
【０００８】
本発明は、液透過性の表面シート、液不透過性の裏面層及び該表面シート及び該裏面層の間に配置される吸収体を備えると共に、互いに対向する第１端部及び第２端部と、該第１端部及び第２端部に直交し互いに対向する一対の側部と、を有して矩形形状に構成され、前記第１端部の近傍の前記裏面層側が第１外面を構成するように折り畳まれた状態で複数枚が積層されて包装されるペット用吸収性物品であって、前記第１端部の近傍の前記裏面層側に配置されるフック部材と、前記第２端部の近傍の前記表面シート側に設けられ前記フック部材に係合可能な被係合部と、積層された状態において隣り合って配置されるペット用吸収性物品の前記フック部材に当接する位置に設けられ、該フック部材の前記被係合部に対する係合力よりも弱い係合力で前記フック部材が係合可能な弱係合部と、を更に備えるペット用吸収性物品に関する。
【０００９】
また、前記ペット用吸収性物品は、長手方向に２つ折りに折り畳まれて前記第２端部の近傍の前記裏面層側が第２外面を構成し、複数の前記ペット用吸収性物品は、該複数のペット用吸収性物品のうちの一のペット用吸収性物品の前記第１外面が該一のペット用吸収性物品に隣り合って配置されるペット用吸収性物品の前記第２外面に当接するように積層され、前記弱係合部は、前記第２外面に設けられることが好ましい。
【００１０】
また、前記裏面層は、前記フック部材に係合可能な不織布を含んで構成され、前記弱係合部は、前記裏面層により形成されることが好ましい。
【００１１】
また、前記表面シートは、前記フック部材に係合可能な不織布を含んで構成され、前記被係合部は、前記表面シートにより構成されることが好ましい。
【発明の効果】
【００１２】
本発明のペット用吸収性物品によれば、複数枚を積層して包装袋に収容する場合に、互いにずれにくく、安定的に包装できる。
【図面の簡単な説明】
【００１３】
【図１】第１実施形態のペット用吸収性物品を表面シート側から視た平面図である。
【図２】第１実施形態のペット用吸収性物品を裏面層側から視た平面図である。
【図３】図２のＡ−Ａ線断面図である。
【図４】図２のＢ−Ｂ線断面図である。
【図５】図２のＣ−Ｃ線断面図である。
【図６】第１実施形態のペット用吸収性物品をペットに装着した状態を示す図である。
【図７】ペット用吸収性物品を折り畳んだ状態を示す縦断面図である。
【図８】折り畳んだ状態のペット用吸収性物品を複数枚積層した状態を示す断面図である。
【図９】複数のペット用吸収性物品が折り畳まれた状態で積層されて、包装袋に収容された状態を示す斜視図である。
【図１０】図９のＤ−Ｄ線断面図である。
【図１１】第２実施形態のペット用吸収性物品を裏面層側から視た平面図である。
【図１２】図１１のＥ−Ｅ線断面図である。
【図１３】第３実施形態のペット用吸収性物品の縦断面図であり、図１２に対応する図である。
【図１４】第３実施形態のペット用吸収性物品を三つ折りに折り畳んで積層した状態を示す図である。
【発明を実施するための形態】
【００１４】
以下、本発明のペット用吸収性物品の好ましい各実施形態について、図面を参照しながら説明する。
まず、第１実施形態のペット用吸収性物品１について説明する。第１実施形態のペット用吸収性物品１は、図１に示すように、互いに対向する第１端部１１及び第２端部１２と、これら第１端部１１及び第２端部１２に直交し互いに対向する一対の側部１３と、を有して矩形形状に形成される。
ペット用吸収性物品１は、図１及び図２に示すように、液透過性の表面シート２と、液不透過性の裏面層３と、吸収体４と、一対のサイドシート５，５と、第１弾性部材６と、第２弾性部材７と、フック部材としてのフックテープ８と、被係合部９と、弱係合部１０と、を備える。
【００１５】
表面シート２は、主として、装着対象のペットの身体に当接する側の面を構成する。この表面シート２は、後述のフックテープ８に係合可能な有孔又は無孔の不織布により構成される。
【００１６】
裏面層３は、図３〜図５に示すように、ペット用吸収性物品１の反身体側の面を構成する裏面シート３１と、この裏面シート３１における表面シート２側に配置される防水シート３２と、を備える。
裏面シート３１は、フックテープ８に係合可能な不織布により構成される。より具体的には、裏面シート３１としては、疎水性の不織布、不織布と不透水性プラスティックフィルムとのラミネートシート、耐水性の高いメルトブローン不織布を強度の強いスパンボンド不織布で挟んだＳＭＳ不織布等を用いることができる。
防水シート３２としては、裏面シート３１と同様の素材の他、不透水性のプラスティックフィルム等を用いることができる。
第１実施形態では、裏面シート３１は、フックテープ８に係合可能ではあるが、表面シート２を構成する不織布よりもフックテープ８に対する係合力が弱い不織布により構成される。
【００１７】
吸収体４は、図４及び図５に示すように、重ね合わせられた表面シート２及び裏面層３の間に介在配置される。吸収体４としては、フラッフ状パルプ及び高吸収ポリマーを、ティッシュ等のコアラップ材により被覆したものを用いることができる。
【００１８】
一対のサイドシート５，５は、細長い矩形形状に構成され、表面シート２の長手方向に沿う側部の身体側にそれぞれ配置される。一対のサイドシート５，５の外側縁側は、裏面シート３１の側部に接合されている。一対のサイドシート５，５の内側縁の一部は、自由端となっている。
サイドシート５，５としては、撥水性又は疎水性を有するものが好ましく用いられる。具体的には、サイドシート５，５としては、スパンレース不織布、スパンボンド不織布、サーマルボンド不織布、メルトブローン不織布、ニードルパンチ不織布、エアースルー不織布等の各種不織布を用いることができる。第１実施形態では、サイドシート５，５は、フックテープ８に係合可能な不織布により構成される。
【００１９】
第１弾性部材６は、一対のサイドシート５，５それぞれの内側縁近傍に配置される。第２弾性部材７は、ペット用吸収性物品１の長手方向ＬＤに沿う一対の側部それぞれに配置される。
第１弾性部材６及び第２弾性部材７としては、天然ゴムからなる糸状ゴム、平ゴム等や、ウレタン、エチレン−酢酸ビニル共重合体（ＥＶＡ）、ＰＥ等の熱可塑性エラストマーを用いることができる。
【００２０】
フックテープ８は、ペット用吸収性物品１の第１端部１１の近傍の裏面シート３１の外面に配置される。フックテープ８は、帯状に構成され、フックテープ８の長手方向がペット用吸収性物品１の幅方向ＷＤに沿うように配置される。
フックテープ８は、図３及び図５に示すように、帯状の基部８１と、この基部８１の一方の面に設けられる複数のフック部８２と、を備える。
フックテープ８は、ポリプロピレン等の合成樹脂材により基部８１及び複数のフック部８２が一体的に形成される。
【００２１】
被係合部９は、図１及び図５に示すように、第２端部１２の近傍の表面シート２側に設けられる。第１実施形態では、被係合部９は、第２端部１２の近傍に配置された表面シート２及びサイドシート５により構成される。
【００２２】
弱係合部１０は、後述するように、複数のペット用吸収性物品が所定の形状に折り畳まれた状態で積層された場合に、隣り合って配置されるペット用吸収性物品１のフックテープ８に当接する位置に配置される（図７及び図８参照）。この弱係合部１０は、フックテープ８の被係合部９に対する係合力よりも弱い係合力でフックテープ８が係合可能な係合力を有する。
第１実施形態では、弱係合部１０は、図２及び図５に示すように、第２端部１２の近傍に配置された裏面シート３１により構成される。
【００２３】
以上のペット用吸収性物品１は、図６に示すように、ペットの胴回り部に装着されて使用される。具体的には、まず、ペット用吸収性物品１の第１端部１１をペットの背中に位置させて、この第１端部１１の近傍を押さえた状態で、第２端部１２をペットの腹側を覆うように巻きつける。次いで、第２端部１２の内面に設けられた被係合部９を、第１端部１１の裏面シート３１側に配置されたフックテープ８に係合させる。これにより、ペット用吸収性物品１は、ペットの胴回りに巻きつけられた状態が保持される。
【００２４】
図７は、ペット用吸収性物品１を折り畳んだ状態を示す縦断面図であり、図８は、折り畳んだ状態のペット用吸収性物品１を複数枚積層した状態を示す断面図である。図９は、複数のペット用吸収性物品１が折り畳まれた状態で積層されて、包装袋２０に収容された状態を示す斜視図であり、図１０は、図９のＤ−Ｄ線断面図である。
本発明のペット用吸収性物品１は、図７〜図１０に示すように、製造工程において、長手方向ＬＤに折り畳まれた状態で、複数枚が積層されて包装袋２０に収容される。そして、ペット用吸収性物品１は、複数枚が包装袋２０に収容された包装体の状態で流通する。
【００２５】
より具体的には、ペット用吸収性物品１は、図７に示すように、第１外面１４及び第２外面１５を有するように折り畳まれる。
第１実施形態では、製造されたペット用吸収性物品１は、図７に示すように、表面シート２が内側となるように長手方向ＬＤに二つ折りに折り畳まれる。即ち、第１実施形態では、第１外面１４及び第２外面１５は、いずれも裏面シート３１を主体として構成される。
より具体的には、第１外面１４は、ペット用吸収性物品１の長手方向ＬＤにおける第１端部１１側の裏面シート３１を主体として構成される。そして、この第１外面１４には、フックテープ８が配置される。
第２外面１５は、ペット用吸収性物品１の長手方向ＬＤにおける第２端部１２側の裏面シート３１を主体として構成される。そして、この第２外面１５を構成する裏面シート３１の第２端部１２の近傍の部分により弱係合部１０が構成されている。
【００２６】
折り畳まれた状態の複数のペット用吸収性物品１は、図８に示すように、一のペット用吸収性物品１の第１外面１４が、この一のペット用吸収性物品１に隣り合って配置されるペット用吸収性物品１の第２外面１５に当接するように積層される。これにより、一のペット用吸収性物品１のフックテープ８は、隣り合って配置されるペット用吸収性物品１の第２外面１５における第２端部１２の近傍に当接する。ここで、ペット用吸収性物品１の第２外面１５には、弱係合部１０が設けられている。そのため、折り畳まれた状態で積層された複数のペット用吸収性物品１は、フックテープ８と弱係合部１０とが係合することで、隣り合って配置されるペット用吸収性物品１と、互いに弱接合される。
【００２７】
積層された複数のペット用吸収性物品１は、図９及び図１０に示すように、包装袋２０に収容される。ここで、複数のペット用吸収性物品１は、互いに弱接合された状態で積層されている。これにより、積層された複数のペット用吸収性物品１を包装袋２０に収容する場合に、互いにずれにくい。
【００２８】
以上説明した第１実施形態のペット用吸収性物品１によれば、以下のような作用効果を奏する。
【００２９】
（１）ペット用吸収性物品１は、製造工程において、長手方向ＬＤに折り畳まれた状態で、複数枚が積層されて包装袋２０に収容されて包装される。そこで、第１端部１１の裏面シート３１側にフックテープ８を配置し、第２端部１２の表面シート２側に被係合部９を配置してペット用吸収性物品１を構成した。そして、積層された状態において隣り合って配置されるペット用吸収性物品１のフックテープ８に当接する位置に弱係合部１０を設けた。これにより、ペット用吸収性物品１をペットの胴回りに装着する場合には、第１端部１１に配置されたフックテープ８を第２端部１２に設けられた被係合部９に係合させることで、ペット用吸収性物品１をペットの胴回りに容易に装着できる。また、ペット用吸収性物品１を、第１端部１１の近傍の裏面シート３１側が第１外面１４を構成するように折り畳むことで、折り畳まれた状態で複数のペット用吸収性物品１が積層された状態では、隣り合って配置されるペット用吸収性物品１のフックテープ８と弱係合部１０とを係合させられる。よって、ペット用吸収性物品１をペットに装着するためのフックテープ８を利用して、積層された複数のペット用吸収性物品１を弱接合でき、これら複数のペット用吸収性物品１が互いにずれることを防げるので、積層された複数のペット用吸収性物品１を安定的に包装袋２０に包装できる。
また、積層された複数のペット用吸収性物品１が互いにずれないので、フックテープ８と、このフックテープ８に当接する裏面シート３１とがこすれあって裏面シート３１を傷つけにくい。よって、ペット用吸収性物品１を包装袋２０に収容する工程におけるペット用吸収性物品１の破損を低減できる。
【００３０】
（２）ペット用吸収性物品１を、第２端部１２の近傍の裏面シート３１側が第２外面１５を構成するように折り畳むと共に、この第２外面１５に弱係合部１０を設けた。これにより、弱係合部１０を裏面シート３１側に設けられる。よって、ペット用吸収性物品１の使用前に、ペットの身体に当接する側である表面シート２側にフックテープ８が係合しないので、ペット用吸収性物品１の使用前に表面シート２側を損傷させることなく、積層された複数のペット用吸収性物品１を安定的に包装袋２０に包装できる。
【００３１】
（３）裏面シート３１を、フックテープ８に係合可能な不織布を含んで構成し、弱係合部１０を、裏面シート３１により形成した。これにより、新たな部材を取り付けることなく、積層された複数のペット用吸収性物品１を弱接合させられるので、ペット用吸収性物品１の製造コストを低減できる。
【００３２】
（４）表面シート２及びサイドシート５，５を、フックテープ８が係合可能な不織布を含んで構成し、これら表面シート２及びサイドシート５，５により被係合部９を形成した。これにより、第２端部１２の表面シート２側に新たな部材を取り付けることなく、第１端部１１と第２端部１２とを係合させられるので、ペット用吸収性物品１の製造コストを低減できる。
【００３３】
次に、本発明の第２実施形態に係るペット用吸収性物品１について、図１１及び図１２を参照しながら説明する。図１１は、第２実施形態のペット用吸収性物品１を、裏面層３側から視た平面図である。図１２は、図１１のＥ−Ｅ線断面図である。
尚、第２実施形態の説明にあたって、同一構成要件については同一符号を付し、その説明を省略もしくは簡略化する。
【００３４】
第２実施形態のペット用吸収性物品１は、主として、被係合部の構成及び裏面層３の構成において、第１実施形態と異なる。
具体的には、図１１及び図１２に示すように、第２実施形態では、被係合部は、第２端部１２の表面シート２側に配置されたループ材９により構成される。
ループ材９は、図１２に示すように、帯状に構成され、ループ材９の長手方向がペット用吸収性物品１の幅方向ＷＤに沿うように配置される。ループ材９は、帯状の基部９１と、この基部９１の一方の面に設けられる複数のループ部９２と、を備える。ループ材９は、複数のループ部９２が形成された面がペット用吸収性物品１の内面となるように、表面シート２及びサイドシート５，５に取り付けられる。
ループ材９は、ポリエステル等の合成樹脂材により基部９１及び複数のループ部９２が一体的に形成される。
【００３５】
また、第２実施形態では、裏面シート３１は、ペット用吸収性物品１の長手方向ＬＤの中央よりも第２端部１２側の領域のみに配置される。即ち、ペット用吸収性物品１の外面側においては、全面に防水シート３２が配置されており、裏面シート３１は、この防水シート３２における第２端部１２側の半分の領域を覆っている。
【００３６】
第２実施形態のペット用吸収性物品１によれば、上述した（１）〜（３）の作用効果を奏する他、以下のような作用効果を奏する。
【００３７】
（５）ペット用吸収性物品１を長手方向ＬＤに２つ折りに折り畳んだ場合、弱係合部１０は、第１端部１１の近傍には形成されない。そこで、裏面層３の外面側に配置される裏面シート３１を、ペット用吸収性物品１の長手方向ＬＤの中央よりも第２端部１２側の領域に配置した。これにより、裏面シート３１の使用量を減らしつつ、積層された複数のペット用吸収性物品１を安定的に包装袋２０に包装できる。
【００３８】
次に、本発明の第３実施形態に係るペット用吸収性物品１について、図１３及び図１４を参照しながら説明する。図１３は、第３実施形態のペット用吸収性物品１の縦断面図であり、図１２に対応する図である。図１４は、第３実施形態のペット用吸収性物品１を３つ折りに折り畳んで積層した状態を示す図である。
【００３９】
第３実施形態のペット用吸収性物品１は、主として、裏面層３の構成において、第２実施形態と異なる。
第３実施形態のペット用吸収性物品１においては、図１３及び図１４に示すように、裏面シート３１は、ペット用吸収性物品１を長手方向ＬＤに３つ折りに折り畳む場合に形成される２本の折曲部１６ａ，１６ｂのうちの第２端部１２側に位置する折曲部１６ａ，１６ｂの近傍の領域のみに配置される。
【００４０】
第３実施形態のペット用吸収性物品１は、図１４に示すように、３つ折りに折り畳まれた状態で複数枚が積層された包装袋２０に収容される。ここで、第３実施形態では、裏面シート３１が、ペット用吸収性物品１を長手方向ＬＤに三つ折りに折り畳む場合に形成される２本の折曲部１６ａ，１６ｂのうちの第２端部１２側に位置する折曲部１６ｂの近傍の領域に配置される。これにより、複数枚のペット用吸収性物品１を積層した場合に、一のペット用吸収性物品１のフックテープ８は、隣り合って配置されたペット用吸収性物品１における裏面シート３１が配置された領域に当接して、この裏面シート３１に弱係合する。
【００４１】
第３実施形態のペット用吸収性物品１によれば、上述した（１）〜（３）の作用効果を奏する他、以下のような作用効果を奏する。
【００４２】
（６）裏面シート３１を、ペット用吸収性物品１を長手方向ＬＤに三つ折りに折り畳む場合に形成される２本の折曲部１６ａ，１６ｂのうちの第２端部１２側に位置する折曲部１６ｂの近傍の領域に配置した。これにより、ペット用吸収性物品１を三つ折りに折り畳んだ状態で複数枚を積層した場合に、一のペット用吸収性物品１のフックテープ８を、隣り合って配置されたペット用吸収性物品１における裏面シート３１が配置された領域に当接させて、裏面シート３１に弱係合させられる。よって、弱係合部１０を構成する裏面シート３１の使用量を減らしつつ、三つ折りに折り畳まれた状態で積層された複数のペット用吸収性物品１を安定的に包装袋２０に包装できる。
【００４３】
以上、本発明の好ましい各実施形態について説明したが、本発明は、上述した各実施形態に制限されるものではなく、適宜変更が可能である。
例えば、第１実施形態及び第２実施形態では、裏面層３を、裏面シート３１及び防水シート３２の２層により構成したが、これに限らない。即ち、裏面層を、不織布により構成される裏面シートのみにより構成してもよい。また、裏面層を、裏面シートと、この裏面シートの外面におけるフックテープの係合部分に配置されるループ材と、により構成してもよい。更には、裏面層を、防水シートと、この防水シートの外面におけるフックテープの係合部分に配置されるループ材と、により構成してもよい。
【００４４】
また、上述した各実施形態では、ペット用吸収性物品１を長手方向に２つ折りに折り畳んだ状態、又は３つ折りに折り畳んだ状態で包装袋２０に収容したが、これに限らない。即ち、ペット用吸収性物品を長手方向に４つ折りに折り畳んだ状態で包装袋に収容してもよい。
【符号の説明】
【００４５】
１  ペット用吸収性物品
２  表面シート
３  裏面層
４  吸収体
８  フックテープ（フック部材）
９  被係合部（ループ材）
１０  弱係合部
１１  第１端部
１２  第２端部
１４  第１外面
１５  第２外面
【図１】
0005917839.tif 000002
【図２】
0005917839.tif 000003
【図３】
0005917839.tif 000004
【図４】
0005917839.tif 000005
【図５】
0005917839.tif 000006
【図６】
0005917839.tif 000007
【図７】
0005917839.tif 000008
【図８】
0005917839.tif 000009
【図９】
0005917839.tif 000010
【図１０】
0005917839.tif 000011
【図１１】
0005917839.tif 000012
【図１２】
0005917839.tif 000013
【図１３】
0005917839.tif 000014
【図１４】
0005917839.tif 000015